(57)【特許請求の範囲】
【請求項１】
身体に装着可能な装飾品であって、
軟質な材料で、長手方向に延びるように、前記長手方向と平行な方向に一方の結合面が形成された一方の紐状部材と、
前記一方の紐状部材に含有され、前記一方の結合面側を一方の極性に、前記一方の結合面の反対側を他方の極性とする一方の磁石と、
軟質な材料で、長手方向に延びるように、前記長手方向と平行な方向に前記一方の結合面と重ね合わせて結合可能な他方の結合面が形成された他方の紐状部材と、
前記他方の紐状部材に含有され、前記他方の結合面側を一方の極性に、前記他方の結合面の反対側を他方の極性とする他方の磁石と、
前記一方の紐状部材と前記他方の紐状部材とが一体に結合された装飾品本体の長手方向の両端に設けられ、前記装飾品本体を輪状に連結するための連結部とからなり、
前記一方の磁石と前記他方の磁石は、前記一方の紐状部材と前記他方の紐状部材とが一体に結合されたとき、同一の極性同士が対向するように配置されている
ことを特徴とする装飾品。
【請求項２】
請求項１に記載された装飾品において、
前記結合面は、前記長手方向と平行な方向に平面に形成されている
ことを特徴とする装飾品。
【請求項３】
請求項１又は２に記載された装飾品において、
前記結合面は、一方の紐状部材側が凹部又は凸部に、他方の紐状部材側が凸部又は凹部に形成されている
ことを特徴とする装飾品。
【請求項４】
請求項１〜３のいずれか１項に記載された装飾品において、
前記一方の紐状部材及び前記他方の紐状部材は、加熱、加圧処理することで、前記結合面を一体に結合するものである
ことを特徴とする装飾品。
【請求項５】
請求項４に記載された装飾品において、
前記軟質な材料は、シリコーン樹脂である
ことを特徴とする装飾品。
【請求項６】
請求項１〜３のいずれか１項に記載された装飾品において、
前記一方の紐状部材及び前記他方の紐状部材は、接着剤を塗布して接着することで、前記結合面を一体に結合するものである
ことを特徴とする装飾品。
【請求項７】
請求項１〜６のいずれか１項に記載された装飾品において、
前記装飾品本体部は、前記長手方向の周りにねじられた形状に形成されているものである
ことを特徴とする装飾品。
【請求項８】
身体に装着可能な装飾品を製造する方法であって、
軟質な材料に磁石を練り込み、長手方向に延ばして、前記長手方向と平行な結合面を有する一対の紐状部材を成形する工程と、
前記一対の紐状部材の前記結合面側を一方の極性に、前記結合面の反対側を他方の極性に磁化する工程と、
開状態の一対の金型内に、前記一対の紐状部材を、各々、セットする工程と、
前記一対の金型を閉状態にするとともに、前記一対の紐状部材を所定の温度、圧力に加熱、加圧処理し、一体に結合する工程と、
からなる装飾品の製造方法。
【請求項９】
請求項８に記載の装飾品の製造方法において、
前記一の金型は、所定の極性に磁化されているものであり、
前記結合する工程は、磁化された金型内で行う工程である
ことを特徴とする装飾品の製造方法。
【発明の詳細な説明】
【技術分野】
【０００１】
本発明は、身体に対し磁気による健康促進効果を与える機能を有する装飾品とその装飾品の製造方法に関する。さらに詳しくは、装着する人にやさしく、磁界の向きを複雑にして健康促進効果を向上させた装飾品とその装飾品の製造方法に関する。
【背景技術】
【０００２】
磁気治療具として、磁力による健康増進などを目的とし磁気ネックレスや磁気ブレスレットなどが従来から使用されている。すなわち、磁力が血行を促進することで肩こりや筋肉痛が緩和されるなどといわれ、磁気ネックレスなどを愛用している人も多い。
【０００３】
特許文献としても従来よりいろいろな提案がされている。例えば、磁気治療具として、金属製磁石又は磁石をカプセルに入れたものを鎖又は金属環でつないだり、着磁体を網紐に編み込んだものなどがある（例えば、特許文献１参照）。また、ゴム磁石などを素材とした磁気治療具等も知られている（例えば、特許文献２参照）。
【特許文献１】特開平０９−２２０２８９号公報
【特許文献２】特開２００７−１１１３２２号公報
【発明の開示】
【発明が解決しようとする課題】
【０００４】
しかし、特許文献１に示された技術は、金属等が露出しているため、運動中等に身体を傷付けてしまうおそれがあった。特許文献２に示された技術は、一本のゴム磁石より構成されていることから、磁気治療具より発せられる磁界（または磁力線）の向きが単調であり、身体の健康促進に与える影響が限定的になるおそれがあった。そのため、さらに健康促進効果を向上させたものの開発が求められている。
【０００５】
一方、ネックレスやブレスレット等装飾品では、宝石を備えたもの、貴金属で形成されているもの、装飾性に優れたものなどが好まれる。健康促進のためのネックレスやブレスレットでも装飾性に優れたもののほうが好まれる。このようなネックレスやブレスレットは、非常に高価な宝石などを備えたものでなくてもよく、デザイン美的センスが優れたもの、自分自身が気に入ったデザインのものなどであるとよい。また、このようなネックレスやブレスレットは、あまり高価でなくほどほどの価格である必要があるとよい。
【０００６】
さらに、ネックレスやブレスレットは、常時、肌に直接触れているものであるため、金属性のものでは、金属アレルギー等を発症する人もおり、材質等にたいへん注意が必要であった。また、日常、身体に付けているものであるので、つけている状態でほとんど違和感、重さ等を感じることがないようなもの、長期身体につけている時にも擦過傷を防止することができるもの等が求められている。
【０００７】
本発明は、上述したような社会的、技術的背景に基づいて、従来の問題点を解決するためになされたもので、次の目的を達成する。
【０００８】
本発明の目的は、軟質材料で形成して肌を傷めないと共に、磁界の向きを複雑に形成して身体に与える影響を強め、健康促進効果を向上させた装飾品を提供することにある。
【０００９】
本発明の他の目的は、軟質で、磁気を有する装飾品を、簡素な工程で高品質に製造することができる装飾品の製造方法を提供することにある。
【課題を解決するための手段】
【００１０】
本発明は、前記目的を達成するために次の手段をとる。
本発明１の装飾品は、身体に装着可能な装飾品であって、軟質な材料で、長手方向に延びるように、前記長手方向と平行な方向に一方の結合面が形成された一方の紐状部材と、前記一方の紐状部材に含有され、前記一方の結合面側を一方の極性に、前記一方の結合面の反対側を他方の極性とする一方の磁石と、軟質な材料で、長手方向に延びるように、前記長手方向と平行な方向に前記一方の結合面と重ね合わせて結合可能な他方の結合面が形成された他方の紐状部材と、前記他方の紐状部材に含有され、前記他方の結合面側を一方の極性に、前記他方の結合面の反対側を他方の極性とする他方の磁石と、前記一方の紐状部材と前記他方の紐状部材とが一体に結合された装飾品本体の長手方向の両端に設けられ、前記装飾品本体を輪状に連結するための連結部とからなり、前記一方の磁石と前記他方の磁石は、前記一方の紐状部材と前記他方の紐状部材とが一体に結合されたとき、同一の極性同士が対向するように配置されていることを特徴とする。
【００１１】
本発明２の装飾品は、本発明１において、結合面は、長手方向と平行な方向に平面に形成されていることを特徴とする。
【００１２】
本発明３の装飾品は、本発明１又は２において、結合面は、一方の紐状部材側が凹部又は凸部に、他方の紐状部材側が凸部又は凹部に形成されていることを特徴とする。
【００１３】
本発明４の装飾品は、本発明１〜３において、前記一方の紐状部材及び前記他方の紐状部材は、加熱、加圧処理することで、前記結合面を一体に結合するものであることを特徴とする。
【００１４】
本発明５の装飾品は、本発明４において、軟質な材料は、シリコーン樹脂であることを特徴とする。
【００１５】
本発明６の装飾品は、本発明１〜３において、前記一方の紐状部材及び前記他方の紐状部材は、接着剤を塗布して接着することで、前記結合面を一体に結合するものであることを特徴とする。
【００１６】
本発明７の装飾品は、本発明１〜６において、前記装飾品本体部は、前記長手方向の周りにねじられた形状に形成されているものであることを特徴とする。
【００１７】
本発明８の装飾品の製造方法は、身体に装着可能な装飾品を製造する方法であって、軟質な材料に磁石を練り込み、長手方向に延ばして、前記長手方向と平行な結合面を有する一対の紐状部材を成形する工程と、前記一対の紐状部材の結合面側を一方の極性に、前記結合面の反対側を他方の極性に磁化する工程と、開状態の一対の金型内に、前記一対の紐状部材を、各々、セットする工程と、前記一対の金型を閉状態にするとともに、前記一対の紐状部材を所定の温度、圧力に加熱、加圧処理し、一体に結合する工程とからなる。
【００１８】
本発明９の装飾品の製造方法は、本発明８において、一の金型は、所定の極性に磁化されているものであり、結合する工程は、磁化された金型内で行う工程であることを特徴とする。
【発明の効果】
【００１９】
本発明の装飾品は、装飾品全体が軟質材料で形成されており、装着している人の肌を傷付けたり、金属アレルギーなどを発症させることがない。また、磁界の向きが複雑に交差していることから身体に与える影響度を向上させ、さらなる健康増進向上を図ることができる。さらに、装飾性に優れているので、他人の目を気にすることなく装着できるとともに、安価であるので、装飾性を楽しみながら健康増進を図ることができる。
本発明の製造方法は、簡素な方法で、装飾性、健康増進に優れた高品質の装飾品を製造することができる。また、能率よく製造でき、経済的効果を呈する。
【発明を実施するための最良の形態】
【００２０】
本発明の実施の形態を図面に基づいて詳細に説明する。図１は、本発明の装飾品（ネックレス）の外観図、図２は、装飾品の正面図、図３は、図２をＡ−Ａ線で切断した断面図、図４は、装飾品より発せられる磁力線の流れを模式的に示した説明図である。
【００２１】
なお、この実施の形態では、磁力による肩こりの解消等の健康増進効果が期待できる装飾品としてネックレスを例にして説明を行うが、他の装飾品、例えばブレスレット等のようなものであっても良いことはいうまでもない。
【００２２】
図１、図２に示すように、ネックレス（装飾品）１は、本体部（装飾品本体部）１０、連結部１３とから構成されている。本体部１０は、紐状に、長手方向に延びた形状の中実体であり、その両端に連結部１３を有している。
【００２３】
本体部１０は、第一紐状部材１１と第二紐状部材１２が、長手方向で重ね合った状態で結合して構成されている。第一紐状部材１１と第二紐状部材１２は、軟質なシリコーン樹脂で形成されている。なお、本実施の形態では、本体部１０を構成する第一紐状部材１１と第二紐状部材１２は、シリコーン樹脂で形成されているとして説明を行うが、軟質で弾性変形可能な材料、例えば軟質なウレタン樹脂等軟質な合成樹脂、エラストマー等で形成されたものであればよい。
【００２４】
第一紐状部材１１と第二紐状部材１２を形成するシリコーン樹脂には、磁石が練り込まれ分散されている。磁石は、細かく粉末状にされた磁石であり、例えば、粉末状にされたフェライト磁石である。なお、本実施の形態では、フェライト磁石で説明を行っているが、磁石であれば他の種類（例えば、アルニコ磁石、ネオジム磁石）のものであっても良い。
【００２５】
本体部１０は、長手方向に所定の長さ（例えば、４００〜６００ｍｍ）を有するように形成されている。なお、この長さは、装飾する身体箇所、巻き数等によって適宜決定されるものである。また、本体部１０は、長手方向に直交する方向で断面視（以下、単に「断面視」という。）した場合には、略円形の所定の直径（例えば、３〜８ｍｍ）に形成されている。この直径も、装飾性、表面磁束密度などによって適宜決定されるものである。また、フェライト又はフェライト磁石（以下、「フェライト磁石」という。）とシリコーン樹脂とは、所定の混合比率（例えば、フェライト磁石が８０〜９５質量％、シリコーン樹脂が５〜２０質量％）で混合されている。なお、この混合比率は、表面磁束密度が０．２テスラ（２０００ガウス）を超えない範囲内で変更しても良い。
【００２６】
本体部１０は、長手方向の一の端部と他の端部とを連結して、本体部１０を輪状にするための連結部１３が設けられている。連結部１３は、一の端部が凹状または凸状に、他の端部が凸状または凹状に形成され、凸状に形成された部位と凹状に形成された部位とが係脱可能に係合して連結されるものである。連結部１３は、軟質なシリコーン樹脂、軟質なウレタン樹脂等軟質な合成樹脂で形成されている。なお、本実施の形態では、シリコーン樹脂で説明を行うが、軟質で弾性変形可能な材料であれば他のものであってもよい。
【００２７】
連結部１３は、本体部１０の一の端部に形成され先端が略球形の凸形状部１３ｃを有する凸状留め具１３Ａと、本体部１０の他の端部に形成され連結部分が穴の凹形状部１３ｄを有する凹状留め具１３Ｂが形成されている。連結部１３は、凸形状部１３ｃと凹形状部１３ｄが、相互に、係脱可能に係合できるようになっている。凹状留め具１３Ｂに凸状留め具１３Ａを挿入するときには、凹形状部１３ｄ、凸形状部１３ｃが弾性変形する。凹状留め具１３Ｂ、凸状留め具１３Ａの少なくともどちらか一方が、軟質のシリコーン樹脂で成形されているので、容易に挿入することができる。連結状態にあるときは凸状留め具１３Ａの凸形状部の略球形１３ｃが凹状留め具１３Ｂの凹形状部１３ｄの穴に係合する。そして、係合している状態では、摩擦力、弾性力で相互に保持されている。連結を解除するときは、凸状留め具１３Ａと凹状留め具１３Ｂを相互に引っ張ると良い。すなわち、所定以上の力で引張ったとき、凹形状部１３ｄ、凸形状部１３ｃが弾性変形して離脱する。
【００２８】
本実施の形態において、凸状留め具１３Ａと凹状留め具１３Ｂは、本体部１０と、別々に製造した後取付けているが、本体部１０と一体的に構成しても良い。また、連結部１３は、例えば、磁石やフック等の他の連結構成により連結できるようにしても良いことはいうまでもない。
【００２９】
図３に示すように、本実施の形態において、第一紐状部材１１は、紐状に、長手方向に延びた形状の中実体であり、断面視略半円形に形成されている。第一紐状部材１１には、第二紐状部材１２の結合面１２ａと結合する結合面１１ａが形成されている。また第一紐状部材１１には、本体部１０の外周面である非結合面１１ｂが形成されている。結合面１１ａは、断面視半円形の直線部分に該当し、第一紐状部材１１の長手方向に平行に延びる平面として形成されている。非結合面１１ｂは、断面視半円形の円周部分に該当し、第一紐状部材１１の長手方向に延びる半円筒面として形成されている。
【００３０】
本実施の形態において、結合面１１ａ側は、その長手方向の一の端部から他の端部にかけて全体がＮ極性に磁化された第一Ｎ極部が形成されている。また、結合面１１ａの反対側は、その長手方向の一の端部から他の端部にかけて全体がＳ極性に磁化された第一Ｓ極部が形成されている。
【００３１】
本実施の形態においては、第一紐状部材１１は、フェライト磁石が分散されていることにより磁化されている。第一紐状部材１１は、磁化されたフェライト磁石を第一紐状部材１１の材料である合成樹脂等に練り込む。その後に、押出成形機等で押出成形等することにより形を構成し、機械的圧力をかける機械配向、又は、磁場コイルを使用して配向する磁場中成形等の方法によりフェライト磁石の粒子を１方向に並べることにより磁化させても良い。
【００３２】
また、第一紐状部材１１は、磁化されていないフェライトを第一紐状部材１１の材料である合成樹脂等に練り込む。その後に、金型周囲に磁場コイルを配置し、或は、金型自体を磁化した押出成形機等で押出成形等することにより形を構成しながら、着磁することにより磁化させても良い。
【００３３】
図３に示すように、本実施の形態において、第二紐状部材１２は、紐状に、長手方向に延びた形状の中実体であり、断面視した場合には、略半円形に形成されている。第二紐状部材１２には、第一紐状部材１１の結合面１１ａと結合する結合面１２ａが形成されている。また第二紐状部材１２には、本体部１０の外周面である非結合面１２ｂが形成されている。結合面１２ａは、断面視半円形の直線部分に該当し、第二紐状部材１２の長手方向に平行に延びる平面として形成されている。非結合面１２ｂは、断面視半円形の円周部分に該当し、第二紐状部材１２の長手方向に延びる半円筒面として形成されている。
【００３４】
本実施の形態において、結合面１２ａ側は、その長手方向の一の端部から他の端部にかけて全体がＮ極性に磁化された第二Ｎ極部が形成されている。また、結合面１２ａの反対側は、その長手方向の一の端部から他の端部にかけて全体がＳ極性に磁化された第二Ｓ極部が形成されている。
【００３５】
本実施の形態においては、第二紐状部材１２は、フェライト磁石が分散されていることにより磁化されている。第二紐状部材１２は、磁化されたフェライト磁石を第二紐状部材１２の材料である合成樹脂等に練り込む。その後に、押出成形機等で押出成形等することにより形を構成し、機械的圧力をかける機械配向、又は、磁場コイルを使用して配向する磁場中成形等の方法によりフェライト磁石の粒子を１方向に並べることにより磁化させても良い。
【００３６】
また、第二紐状部材１２は、磁化されていないフェライトを第二紐状部材１２の材料である合成樹脂等に練り込む。その後に、金型周囲に磁場コイルを配置し、或は、金型自体を磁化した押出成形機等で押出成形等することにより形を構成しながら、着磁することにより磁化させても良い。
【００３７】
本体部１０の外周面、つまり、第一紐状部材１１の非結合部１１ａ及び、第二紐状部材１２の非結合部１２ａには、この製品、製造元、販売元などのロゴ、飾りなどの美的、デザイン的に優れたデザインが形成しても良い。また、本体部１０、つまり、第一紐状部材１１及び第二紐状部材１２について、所定の色彩を付し美的効果を持たせても良く、或は、本体部１０自身が透けて見えるように透明性を持たせても良い。透明性を本体部１０にもたせた場合には、一定の形状（例えば、星形やハート型等。）を有した飾りを本体部１０内に設けても良い。本体部１０は、透明性を持たせることにより、その内容物が目視でき装飾効果が向上する。さらに、第一紐状部材１１と第二紐状部材１２に付す色彩は、同一であっても別々であっても良いことはいうまでもない。
【００３８】
本体部１０の外周面を覆うように薄い膜状に形成した表層部を設けても良い。表層部は、この製品、製造元、販売元などのロゴ、飾りなどの美的、デザイン的に優れたデザインが形成されても良く、所定の色彩で美的効果を持たせたものであっても良い。表層部は、所定の色彩で美的効果を持たせたものであっても良く、或は、本体部１０が透けて見えるように透明性を持たせても良い。
【００３９】
表層部は、本体部１０をシリコーン樹脂等につけ込んだ後、表面を乾かすことで薄膜状に設けてもよい。本体部１０をつけ込むシリコーン樹脂にフェライトを練り込んでおいても良い。表層部を設けることで、装飾性を持たせることができ、また、第一紐状部材１１と第二紐状部材１２の結合状態を保つこともできる。
【００４０】
本実施の形態において、本体部１０は、第一紐状部材１１の結合面１１ａと第二紐状部材１２の結合面１２ａが長手方向で平行に重なり合って構成されており、断面視略円形に形成されている。本実施の形態においては、図示していないが、結合面１１ａと結合面１２ａは、シリコーン樹脂等の熱可塑性樹脂等により構成されており、これを加熱、加圧処理することにより一体的に結合されている。本実施の形態において、結合面１１ａ側と結合面１２ａ側は、同じ極性であるＮ極性に磁化されている。このため、一般的には、結合面１１ａと結合面１２ａは、反発しあって結合されないが、このように結合面同士をシリコーン樹脂等の熱可塑性樹脂等により構成し、一体的に結合することにより強制的に結合することができる。このように結合された本体部１０は、磁界の向きが、複雑になり健康促進効果がより期待できる。なお、結合面１１ａと結合面１２ａの間に、接着剤を塗布して用いて重ね合わせて結合させても良いことはいうまでもない。
【００４１】
図３及び、図４に示すように、本実施の形態において、結合面１１ａ側は、その長手方向の一の端部から他の端部にかけて全体がＮ極性に磁化されている。また、結合面１２ａ側は、その長手方向の一の端部から他の端部にかけて全体がＮ極性に磁化されている。つまり、一対の紐状部材から構成される本体部１０において、第一紐状部材１１と第二紐状部材１２が結合するそれぞれの結合面１１ａ側と結合面１２ａ側は、共にＮ極性に磁化されている。
【００４２】
また、本実施の形態において、結合面１１ａの反対側は、その長手方向の一の端部から他の端部にかけて全体がＳ極性に磁化されている。また、結合面１２ａの反対側は、その長手方向の一の端部から他の端部にかけて全体がＳ極性に磁化されている。つまり、一対の紐状部材から構成される本体部１０において、第一紐状部材１１と第二紐状部材が結合するそれぞれの結合面の反対側の面側は、共にＳ極性に磁化されている。
【００４３】
図４に模式的に示すように、ネックレス１の断面より発せられる磁界は、Ｎ極よりＳ極に向かい放出している。つまり、第一紐状部材１１の第一Ｎ極部から、第一紐状部材１１の第一Ｓ極部にかけて磁界が形成される。また、第一紐状部材１１の第一Ｎ極部から、第二紐状部材１２の第二Ｓ極部にかけて磁界が形成される。また、第二紐状部材１２の第二Ｎ極部から、第二紐状部材１２の第二Ｓ極部にかけて磁界が形成される。さらに、第二紐状部材１２の第一Ｎ極部から、第一紐状部材１１の第二Ｓ極部にかけて磁界が形成される。このように磁界がさまざまな位置から発生しており、また、磁界の向きが複雑に交差していることから人体に与える影響度を向上させ、さらなる健康増進向上を図ることができる。
【００４４】
本実施の形態において、第一紐状部材１１と第二紐状部材１２を断面視略半円形とすることにより本体部１０は、断面視略円形に形成されている。しかし、この形状とらわれることなく、断面視、他の形状となるように構成しても良いことはいうまでもない。
【００４５】
〔製造方法〕
図５は、本発明の装飾品の製造方法による装飾品の製造工程を示すフロー図である。図６は、金型２０の平面図、図７は、図６をＢ−Ｂ線で切断して示した断面図、図８は、図６をＣ−Ｃ線に沿って一部を切断して示した部分断面図、図９は、図８をＤ−Ｄ線に沿って一部で切断して示した断面図である。
【００４６】
図５のフロー図に従って製造工程を説明する。製造対象のネックレス１の本体部１０は、第一紐状部材１１及び第二紐状部材１２からなる。この本体部を構成するために一対の金型（２０、３０）が準備される。
【００４７】
ネックレス１の本体部１０は、一対の紐状部材、すなわち第一紐状部材１１と第二紐状部材１２とから構成される。この材料となるシリコーン樹脂（素材）は、フェライト磁石と共に混練する（Ｓ１０１）。この混練されたシリコーン樹脂（素材）及びフェライト磁石をネックレスの大きさ形状に合わせて所定の大きさの第一紐状部材１１、第二紐状部材１２として押出成形する（Ｓ１０２）。成形した第一紐状部材１１、第二紐状部材１２を機械的圧力をかける機械配向、又は、磁場コイルを使用して配向する磁場中成形等の方法によりフェライト磁石の粒子を１方向に並べることにより磁化させる（Ｓ１０３）。
なお、押出成形機の金型周囲に磁場コイルを配置し、或は、金型自体を磁化した押出成形機等で押出成形等することにより所定の形状にしながら、着磁することにより磁化させても良い。
【００４８】
成形された第一紐状部材１１と第二紐状部材１２は、本体部を成形するために金型の型内、すなわち金型に形成された空間（キャビティ）である溝２１に設置される（Ｓ１０４、Ｓ１０５）。なお、設置された第一紐状部材１１の結合面１１ａ及び／又は第二紐状部材１１の結合面１２ａに、接着剤を塗布しても良い。
【００４９】
位置決めピン、位置決め穴などである位置決め部材により位置決めをし、この金型を閉じる。すなわち、両方の金型を組み付けるようにする（Ｓ１０６）。金型を閉じた後、所定の温度、所定の圧力に、加熱処理及び加圧処理を施す（Ｓ１０７）。次に、金型を開き、両方の金型を分離する（Ｓ１０８）。各金型より固化して成形された本体部を取り出す（Ｓ１０９）。本体部の両端部に連結部を付けて完成する（１１０）。次にその具体的製造方法について説明する。
【００５０】
＜混練（Ｓ１０１）＞
合成樹脂、磁石及び添加剤等を所定の割合で配合した後、加圧ニーダやミキシングロール等の混練機で所定の時間混練する。本実施の形態において、混練する材料としては、軟質なシリコーン樹脂を使用するが、軟質なものであれば他の材料でも良く、例えば、ウレタン樹脂及び他の合成樹脂等であっても良い。磁石は、粉末化されたいわゆる磁石粉末がよく、例えば、フェライト磁石が良い。また、着色剤を添加することにより成形さまざまな色に着色しても良い。例えば、第一紐状部材１１と第二紐状部材１２とで異なる色になるように着色しても良い。
【００５１】
＜成形（Ｓ１０２）、磁化（Ｓ１０３）＞
混練工程で得られた組成物（混練物）を粉砕し、この粉砕粉末を用いて例えば押出成形により成形し、長手方向に延びるように形成された第一紐状部材１１及び第二紐状部材１２として成形された成形体を得る。なお、成形は、無磁場中又は磁場中で行うことができる。
【００５２】
押出成形機により無磁場中で成形した場合には、成形体である第一紐状部材１１及び第二紐状部材１２に対して、その後に磁場中において磁化することができる。成形した第一紐状部材１１、第二紐状部材１２に対して機械的圧力をかける機械配向、又は、磁場コイルを使用して配向する磁場中成形等の方法によりフェライト磁石の粒子を１方向に並べることにより磁化させる。このとき、表面磁束密度で０．２テスラ（２０００ガウス）を超えないようにすると良い。
【００５３】
なお、押出成形機により磁場中で成形する場合には、押出成形機の金型周囲に磁場コイルを配置し、或は、金型自体を磁化した押出成形機等で押出成形等することにより形を構成しながら、着磁することにより磁化させても良い。このとき、表面磁束密度で０．２テスラ（２０００ガウス）を超えないようにすると良い。
【００５４】
＜上金型に設置（Ｓ１０４）＞
図８及び図９に示すように、金型は、同様の構成からなる上金型２０と下金型３０に分離されている。
上金型２０は板状のものであり、上金型２０の表面には第一紐状部材１１又は第二紐状部材１２を設置するための溝２１が設けられている。この溝２１の幅は、第一紐状部材１１又は第二紐状部材１２の幅よりやや小さい寸法になっているとよい。第一紐状部材１１又は第二紐状部材１２は弾性変形可能であり、溝２１内に押し付けるように押し込み弾性力に抗して設置するとよい。この状態で第一紐状部材１１又は第二紐状部材１２は、上金型２０に位置決め保持されるので、放置しても外れない。
【００５５】
また、上金型２０は、溝２１に設置する第一紐状部材１１又は第二紐状部材１２と異なる極性に磁化しておいても良い。このように、上金型２０を磁化しておくことにより、第一紐状部材１１又は第二紐状部材１２を保持することができるため、放置しても外れなくなる。なお、本実施の形態において、溝２１には、第一紐状部材１１を設置して説明する。
【００５６】
＜下金型に設置（Ｓ１０５）＞
下金型３０は板状のものであり、この下金型３０の表面には第二紐状部材１２又は第一紐状部材１１を設置するための溝３１が設けられている。溝３１の幅は、第二紐状部材１２又は第一紐状部材１１の幅よりやや小さい寸法になっているとよい。第二紐状部材１２又は第一紐状部材１１は弾性変形可能であり、溝３１内に押し付けるように押し込み弾性力に抗して設置するとよい。この状態で第二紐状部材又は第一紐状部材１１は、下金型３０に位置決め保持されるので、放置しても外れない。
【００５７】
また、下金型３０は、溝３１に設置する第二紐状部材１２又は第一紐状部材１１と異なる極性に磁化しておいても良い。このように、下金型３０を磁化しておくことにより、第二紐状部材１２又は第一紐状部材１１を保持することができるため、放置しても外れなくなる。なお、本実施の形態において、溝３１には、第二紐状部材１２を設置して説明する。
【００５８】
第一紐状部材１１又は第二紐状部材１２を結合する前に、接着剤を塗布しても良い。つまり、上金型２０に設置された第一紐状部材１１の結合面１１ａ及び／又は下金型３０に設置された第二紐状部材１２の結合面１２ａに接着剤を塗布しても良い。この接着剤は、例えば、第一紐状部材１１又は第二紐状部材１２と同質のシリコーン樹脂系接着剤が良いが、エポキシ系接着剤等他の接着剤でも良いことはいうまでもない。
【００５９】
＜組み付け（Ｓ１０６）＞
次に、位置決めピン、位置決め穴などからなる位置決め部材により位置決めをし、この金型を閉じる。すなわち、同様構成の上金型２０と下金型３０に位置合わせのうえ組み付けるようにする。
【００６０】
＜加熱、加圧（Ｓ１０７）＞
この状態で上金型２０及び下金型３０の外部に設けられた加熱プレス装置４０、５０を加熱し、さらに加圧させると、上金型２０及び下金型３０は押圧される。このときの加熱温度は、所定の温度（例えば、１８０℃）が好ましい。加圧力は、所定の圧力であれば良い。この加熱、加圧力で、第一紐状部材１１及び第二紐状部材１２は、一体化し、本体部１０を構成する。
【００６１】
＜金型  分離（１０８）＞
金型内で第一紐状部材１１及び第二紐状部材１２が一体化し本体部を構成した後、上金型２０及び下金型３０を分離して開く。
【００６２】
＜取り出し（Ｓ１０９）＞
金型より固化して成形された本体部１０を取り出す。この時、余計なバリ等が生じていたときには、バリを取り除くと良い。
＜留め具  取付け（Ｓ１１０）＞
本体部１０の両端部に凸状留め具１３Ａ及び凹状留め具１３Ｂを付けて完成する。
【００６３】
以上のように本実施の形態において、第一紐状部材１１及び第二紐状部材１２は、同様なシリコーン樹脂とフェライト磁石により構成されていることを前提として説明したが、第一紐状部材１１と第二紐状部材１２とで、異なる材料であってもよい。また、第一紐状部材１１と第二紐状部材１２とで、シリコン樹脂とフェライト磁石の配合率が異なるように構成されても良い。
【００６４】
さらに、本実施の形態においては、結合面１１ａ側及び結合面１２ａ側は、その長手方向の一の端部から他の端部にかけてＮ極性に磁化されるように形成されている。しかし、これに限らず、結合面１１ａ側及び結合面１２ａ側は、異なる磁極が並ぶように形成されても良い。例えば、結合面１１ａ側を一定の間隔でＮ極とＳ極が交互に連続して磁化されていても良い。
【００６５】
また、結合面１１ａの反対側及び結合面１２ａの反対側は、その長手方向の一の端部から他の端部にかけてＳ極性に磁化されるように形成されている。しかし、これに限らず、結合面１１ａ側及び結合面１２ａの反対側は、異なる磁極が並ぶように形成されても良い。例えば、結合面１１ａの反対側を一定の間隔でＮ極とＳ極が交互に連続して磁化されていても良い。
【００６６】
また、金型により第一紐状部材１１及び第二紐状部材１２を結合するときに、凸状留め具１３Ａ及び凹状留め具１３Ｂを合わせて付けても良い。この場合は、上金型２０及び下金型３０に設けられた溝の形を第一紐状部材１１、第二紐状部材１２、凸状留め具１３Ａ及び凹状留め具１３Ｂの形状に合わせて形成すればよいことはいうまでもない。
【００６７】
〔他の実施の形態〕
図１０は、本発明の装飾品の他の実施の形態をあらわす断面図である。図１０に基づき他の実施の形態について説明する。なお、この他の実施の形態では、前述した実施の形態と同一の部位には同一の符号を付与し詳細な説明を省略する。この実施の形態において、第一紐状部材６１は、紐状に、長手方向に延びた形状の中実体であり、断面視した場合には、略半円形に形成されている。第一紐状部材６１は、第二紐状部材６２の結合面６２ａと結合する結合面６１ａが形成されている。また第一紐状部材６１は、本体部１０の外周面となる非結合面６１ｂが形成されている。結合面６１ａは、断面視半円形の直線部分に該当し、第一紐状部材６１の長手方向に平行に延びる平面として形成されている。非結合面６１ｂは、断面視半円形の円周部分に該当し、第一紐状部材６１の長手方向に延びる半円筒面として形成されている。
【００６８】
本実施の形態において、結合面６１ａ側は、その長手方向の一の端部から他の端部にかけて全体がＮ極性に磁化された第一Ｎ極部が形成されている。また、結合面６１ａの反対側は、その長手方向の一の端部から他の端部にかけて全体がＳ極性に磁化された第一Ｓ極部が形成されている。
【００６９】
図１０に示すように、本実施の形態において、第二紐状部材６２は、紐状に、長手方向に延びた形状の中実体であり断面視した場合には、略半円形に形成されている。第二紐状部材６２は、第一紐状部材６１の結合面６１ａと結合する結合面６２ａが形成されている。また第二紐状部材６２は、本体部１０の外周面となる非結合面６２ｂが形成されている。結合面６２ａは、断面視半円形の直線部分に該当し、第二紐状部材６２の長手方向に平行に延びる平面として形成されている。非結合面６２ｂは、断面視半円形の円周部分に該当し、第二紐状部材６２の長手方向に延びる半円筒面として形成されている。
【００７０】
本実施の形態において、結合面６２ａ側は、その長手方向の一の端部から他の端部にかけて全体がＳ極性に磁化された第二Ｓ極部が形成されている。また、結合面６２ａの反対側は、その長手方向の一の端部から他の端部にかけて全体がＮ極性に磁化された第二Ｎ極部が形成されている。
【００７１】
本実施の形態において、結合面６１ａ側と結合面６２ａ側は、異なる極性であるＮ極性とＳ極性を有している。このため、第一紐状部材６１の結合面６１ａと第二紐状部材６２の結合面６１ａは、異なる極性を有する結合面同士を結合するのに比べると結合しやすい。また、同一の極性を有する結合面同士を結合する場合と異なる磁界が形成される。
【００７２】
〔他の実施の形態２〕
図１１は、本発明の装飾品の他の実施の形態２をあらわす第一紐状部材と第二紐状部材の結合前の断面図である。図１２は、本発明の装飾品の他の実施の形態２をあらわす第一紐状部材と第二紐状部材の結合後の断面図である。図１１に基づき他の実施の形態２について説明する。なお、この他の実施の形態２では、前述した実施の形態と同一の部位には同一の符号を付与し詳細な説明を省略する。この実施の形態において、第一紐状部材７１は、紐状に、長手方向に延びた形状の中実体であり、断面視した場合には、略半円形に形成されている。第一紐状部材７１は、第二紐状部材７２の結合面７２ａと結合する結合面７１ａが形成されている。また第一紐状部材７１は、本体部１０の外周面となる非結合面７１ｂが形成されている。結合面７１ａは、断面視半円形の直線部分に該当し、第一紐状部材７１の長手方向に平行に延びる平面として形成されている。非結合面７１ｂは、断面視半円形の外周部分に該当し、第一紐状部材７１の長手方向に延びる半円筒面として形成されている。
【００７３】
結合面７１ａは、第一紐状部材７１の断面視半円形の直線部分の略中央に該当する部分にあり溝部７１ｃを形成している。あり溝部７１ｃは、第一紐状部材７１の長手方向の一の端部から他の端部にかけて形成されている。結合面７１ａに形成されたあり溝部７１ｃは、結合面７１ａ側に開口部７１ｅが形成され、結合面７１ａ側より所定の深さの位置に底部７１ｄが形成されている。あり溝部７１ｃは、断面視において、開口部７１ｅの幅より底部７１ｄの幅のほうが広く形成されている。
【００７４】
本実施の形態において、結合面７１ａ側は、その長手方向の一の端部から他の端部にかけて全体がＮ極性に磁化された第一Ｎ極部が形成されている。また、結合面７１ａの反対側は、その長手方向の一の端部から他の端部にかけて全体がＳ極性に磁化された第一Ｓ極部が形成されている。
【００７５】
図１１に示すように、本実施の形態において、第二紐状部材７２は、紐状に、長手方向に延びた形状の中実体であり断面視した場合には、略半円形に形成されている。第二紐状部材７２は、第一紐状部材７１の結合面７１ａと結合する結合面７２ａが形成されている。また第二紐状部材７２は、本体部１０の外周面となる非結合面７２ｂが形成されている。結合面７２ａは、断面視半円形の直線部分に該当し、第二紐状部材７２の長手方向に平行に延びる平面として形成されている。非結合面７２ｂは、断面視半円形の外周部分に該当し、第二紐状部材７２の長手方向に延びる半円筒面として形成されている。
【００７６】
結合面７２ａは、第二紐状部材７２の断面視半円形の直線部分の略中央に該当する部分にあり部７２ｃを一体的に形成している。あり部７２ｃは、第二紐状部材７２の長手方向の一の端部から他の端部にかけて形成されている。本実施の形態におけるあり部７２ｃは、あり溝部７１ｃに系脱可能に係合する結合面７２ａから突出した台形状の凸部である。あり部７２ｃは、断面視において、結合面７２ａ側の根元部７２ｅの幅が、突出した上面部７２ｄの幅より広く形成されている。
【００７７】
本実施の形態において、結合面７２ａ側は、その長手方向の一の端部から他の端部にかけて全体がＮ極性に磁化された第二Ｎ極部が形成されている。また、結合面７２ａの反対側は、その長手方向の一の端部から他の端部にかけて全体がＳ極性に磁化された第二Ｓ極部が形成されている。
【００７８】
開口部７１ｅと根元部７２ｅは、断面視略同一の幅で形成されている。底部７１ｄと上面部７２ｄは、断面視略同一の幅で形成されている。あり溝部７１ｃとあり部７２ｃは、軟質のシリコーン樹脂で成形されているので、容易に挿入することができる。つまり、図１２に示すように、あり溝部７１ｃに向かってあり部７２ｃ押し込むと、開口部７１ｅと上面部７２ｄが弾性変形して嵌り込む。そして、嵌り込んだ状態では、いわゆるあり継手状に結合し、摩擦力、弾性力で相互に保持されている。
【００７９】
本実施の形態において、結合面７１ａ側と結合面７２ａ側は、同一極性であるＮ極性を有している。このため、第一紐状部材７１の結合面７１ａと第二紐状部材７２の結合面７１ａは、異なる極性を有する結合面同士を結合するのに比べると結合しづらい。このため、あらかじめ、あり溝部７１ｃにあり部７２ｃを嵌合させることで反発する極性に抗して第一紐状部材７１と第二紐状部材７２を結合することができる。なお、結合面７１ａとあり溝部７１ｃ及び／又は結合面７２ａとあり部７２ｃに接着剤を塗布しておき結合しても良いことはいうまでもない。
【００８０】
〔他の実施の形態３〕
図１３は、本発明の装飾品の他の実施の形態３を適用した連結状態のネックレス２０１を示した外観図である。図１４は、非連結状態のネックレス２０１を示した正面図である。図１３に基づき他の実施の形態３について説明する。他の実施の形態３では、前述した実施の形態と同一の部位には同一の符号を付与し詳細な説明を省略する。この実施の形態において、本体部２１０は、第一紐状部材２１１の結合面２１１ａと第二紐状部材２１２の結合面２１２ａが長手方向で平行に重ねた後に、本体部２１０の中心の周り方向にねじられて形成されているものである。本体部２１０、一回又は複数回ねじられると良い。
【００８１】
本実施の形態におけるネックレス２０１は、以下の方法により製造すると良い。例えば、前記製造方法により、第一紐状部材２１１と第二紐状部材２１２を一体化し本体部２１０を構成する。次に、本体部２１０の長手方向の一の端部と他の端部とを、本体部２１０の中心の周り方向に適宜ねじる。次に、ねじられた本体部２１０をその状態で再度、下金型３０の溝３１に押しつけて設置する。次に、位置決めピン、位置決め穴などからなる位置決め部材により位置決めをし、この金型を閉じる。この状態で、上金型２０及び下金型３０の外部に設けられた加熱プレス装置４０、５０を加熱し、更に加圧させる。金型内で本体部２１０がねじられた状態で形状が定まった後上金型２０及び下金型３０を分離して開く。金型より固化して成型された本体部２１０を取り出す。本体部２１０の両端部に凸状留め具１３Ａ及び凹状留め具１３Ｂを付けて完成する。本体部２１０は、本体部２１０の中心周りを右方向にねじられても、左方向にねじられても良いことはいうまでもない。
【００８２】
本体部２１０は、ねじられて形成されていることにより、磁界の向きが複雑になり、より効果的な健康増進効果が期待できる。また、本体部２１０は、ねじられて形成されていることにより、色彩が絡み合いデザイン性が向上する。
【００８３】
以上、本発明の実施の形態の説明を行ったが、本発明はこの実施の形態に限定されることはない。本発明の目的、趣旨を逸脱しない範囲内で変更ができることはいうまでもない。例えば、本体部の断面形状は、楕円形状、長円形状、多角形状などであっても良い。
【図面の簡単な説明】
【００８４】
【図１】本発明の装飾品（ネックレス）を連結状態の外観図である。
【図２】非連結状態の装飾品（ネックレス）の正面図である。
【図３】図２をＡ−Ａ線で切断した断面図である。
【図４】図３の装飾品（ネックレス）から発せられる磁力線の流れを模式的に示す説明図である。
【図５】本発明の装飾品の製造方法の製造工程を示すフロー図である。
【図６】金型の平面図である。
【図７】図６をＢ−Ｂ線で切断した断面図である。
【図８】図６をＣ−Ｃ線に沿って一部を切断して示した部分断面図である。
【図９】図８をＤ−Ｄ線に沿って一部を切断した断面図である。
【図１０】本発明の装飾品の他の実施の形態の装飾品を示す第一紐状部材と第二紐状部材の結合後の断面図である。
【図１１】他の実施の形態２の装飾品を示す第一紐状部材と第二紐状部材の結合前の断面図である。
【図１２】他の実施の形態２の装飾品を示す第一紐状部材と第二紐状部材の結合後の断面図である。
【図１３】他の実施の形態３装飾品の連結状態の外観図である。
【図１４】他の実施の形態３の装飾品の非連結状態の正面図である。
【符号の説明】
【００８５】
１      …  ネックレス
１０    …  本体部
１１    …  第一紐状部材
１１ａ  …  結合面
１１ｂ  …  非結合面
１２    …  第二紐状部材
１２ａ  …  結合面
１２ｂ  …  非結合面
１３    …  連結部
【図１】
0005129901.tif 000002
【図２】
0005129901.tif 000003
【図３】
0005129901.tif 000004
【図４】
0005129901.tif 000005
【図５】
0005129901.tif 000006
【図６】
0005129901.tif 000007
【図７】
0005129901.tif 000008
【図８】
0005129901.tif 000009
【図９】
0005129901.tif 000010
【図１０】
0005129901.tif 000011
【図１１】
0005129901.tif 000012
【図１２】
0005129901.tif 000013
【図１３】
0005129901.tif 000014
【図１４】
0005129901.tif 000015